(57)【特許請求の範囲】
【請求項１】
複数のトランスであって、該複数のトランスの各トランスがコアを備える、前記複数のトランスと、
前記複数のトランスを互いに接続するように構成される経路であって、非直流電流が前記経路を流れる、前記経路と、
直流電流を前記複数のトランスの構成部分に送り込むことにより、前記複数のトランスの前記構成部分の各トランスの前記コアと前記経路との間のエネルギーの伝達が実質的に行なわれなくなるように構成される任意の数の電流源と、
を備え、前記複数のトランスの各トランスは、独立に、負荷及び電源のうちの少なくとも一に接続される、装置。
【請求項２】
前記直流電流の量は前記非直流電流の量よりも小さい、請求項１に記載の装置。
【請求項３】
前記複数のトランスの前記各トランスは、
負荷及び電源のうちの一方に接続される第１巻線と、
前記経路に接続される第２巻線と、
制御巻線と、
を更に備える、請求項１に記載の装置。
【請求項４】
前記任意の数の電流源は、前記直流電流を、前記複数のトランスの前記構成部分の前記各トランスの前記制御巻線に送り込むことにより、前記複数のトランスの前記構成部分の前記各トランスの前記コアを飽和させるように構成される、請求項３に記載の装置。
【請求項５】
前記経路は複数の配線を含む、請求項１に記載の装置。
【請求項６】
前記経路に流れ込む前記非直流電流は、前記複数のトランスの前記構成部分を、前記複数のトランスの前記構成部分の前記各トランスの前記コアから前記経路にエネルギーが伝達されることなく流れる、請求項１に記載の装置。
【請求項７】
前記経路に流れ込む前記非直流電流は、前記複数のトランスの前記構成部分を、前記経路から前記複数のトランスの前記構成部分の前記各トランスの前記コアにエネルギーが伝達されることなく流れる、請求項１に記載の装置。
【請求項８】
前記非直流電流は交流電流である、請求項１に記載の装置。
【請求項９】
前記任意の数の電流源からの前記直流電流の送り先となる複数のトランスの構成部分を選択するように構成されるコントローラを更に備える、請求項１に記載の装置。
【請求項１０】
前記コントローラは、前記複数のトランスの前記構成部分を所定のポリシーを用いて選択するように更に構成される、請求項９に記載の装置。
【請求項１１】
前記複数のトランスは、互いに接続されてスイッチを形成する、請求項１に記載の装置。
【請求項１２】
前記スイッチは非接触式磁気スイッチである、請求項１１に記載の装置。
【請求項１３】
前記経路は、前記複数のトランス、及び任意の数の装置を互いに接続するように更に構成される、請求項１に記載の装置。
【請求項１４】
前記任意の数の装置の中の１つの装置はモータである、請求項１３に記載の装置。
【請求項１５】
複数のトランスであって、該複数のトランスの各トランスがコアと、そして制御巻線と、を備える、前記複数のトランスと、
任意の数の配線を含み、かつ前記複数のトランスを互いに接続するように構成される経路であって、非直流電流が前記経路を流れ、そして直流電流を前記複数のトランスの構成部分の各トランスの前記制御巻線に送り込んで、前記複数のトランスの前記構成部分の前記各トランスの前記コアを飽和させることにより、前記複数のトランスの前記構成部分の前記各トランスの前記コアと前記経路との間のエネルギーの伝達が実質的に行なわれなくなる、前記経路と、
を備え、前記複数のトランスの各トランスは、独立に、負荷及び電源のうちの少なくとも一に接続される、スイッチ。
【請求項１６】
前記直流電流を複数の電流源から流入させる、請求項１５に記載のスイッチ。
【請求項１７】
前記複数のトランスの前記各トランスは、
負荷及び電源のうちの一方に接続される第１巻線と、
前記経路に接続される第２巻線と、
を更に備える、請求項１５に記載のスイッチ。
【請求項１８】
回路内の電力経路を制御する方法であって、該方法は、
コントローラによって、複数のトランスの構成部分を選択するステップであって、前記複数のトランスが前記回路内で互いに接続され、そして前記複数のトランスの中の各トランスがコアを備える、前記選択するステップと、
任意の数の電流源から直流電流を前記複数のトランスの前記構成部分に送り込むことにより、前記複数のトランスの前記構成部分の前記各トランスの前記コアと前記経路との間のエネルギーの伝達が実質的に行なわれなくなるステップと、
を含み、前記複数のトランスの各トランスは、独立に、負荷及び電源のうちの少なくとも一に接続される、方法。
【請求項１９】
前記複数のトランスの中の前記トランスは、複数の巻線を更に備え、直流電流を前記複数のトランスの前記構成部分に送り込むことにより、前記複数のトランスの前記構成部分を介したエネルギーの伝達が実質的に行なわれなくなる前記ステップは、
前記任意の数の電流源から前記直流電流を、前記複数のトランスの前記構成部分の各トランスのコアに巻回される制御巻線に送り込むことにより、前記複数のトランスの前記構成部分の前記各トランスの前記コアを飽和させるステップを含む、請求項１８に記載の方法。
【請求項２０】
前記コントローラによって、コントローラを使用する前記複数のトランスの前記構成部分を選択することにより、前記複数のトランスが互いに接続されるようにする前記ステップは、
前記コントローラによって、コントローラを使用する前記複数のトランスの前記構成部分を、所定のポリシーを用いて選択することにより、前記複数のトランスが互いに接続されるようにするステップを含む、請求項１８に記載の方法。
【発明の詳細な説明】
【技術分野】
【０００１】
本開示は概して、トランス群（ｔｒａｎｓｆｏｒｍｅｒｓ）に関するものであり、特に互いに接続されるトランス群に関するものである。更に具体的には、本開示は、互いに接続されて磁気スイッチを形成するトランス群に関するものである。
【背景技術】
【０００２】
電力は、生成され、供給され、そして消費される。例えば、電力は、ダム、ガス発電所、石炭火力発電所、原子力発電所、太陽発電装置、燃料電池、発電機、手動発電機、またはバッテリまたはフライホイールのような蓄電装置により発生させることができる。
【０００３】
現在のスイッチは、接触式スイッチを含む。接触式スイッチは、「ｒｅｌａｙｓ（リレー）」と表記することができる。更に、トランジスタ、電界効果トランジスタ、及び絶縁ゲートバイポーラトランジスタのような能動素子は電流を制御する。本明細書において使用されるように、能動素子はｐ−ｎ接合素子を含む。能動素子スイッチ及び接触式スイッチによって、不所望なインピーダンスが電源回路に付加される。インピーダンスとは、電源回路における電力の損失を意味する。更に、接触式スイッチ及び能動素子スイッチによって、不所望な複雑さが電源回路に付加されてしまう。
【０００４】
従って、上に説明した問題だけでなく、起こり得る他の問題のうちの１つ以上の問題を考慮に入れた方法及び装置を有することができれば有利である。
【発明の概要】
【０００５】
１つの有利な実施形態では、装置は、複数のトランスと、経路と、そして任意の数の電流源と、を備える。前記複数のトランスの各トランスはコアを備える。前記経路は、前記複数のトランスを互いに接続するように構成される。非直流電流が前記経路を流れる。前記任意の数の電流源は、直流電流を前記複数のトランスの構成部分に送り込むことにより、前記複数のトランスの前記構成部分の各トランスの前記コアと前記経路との間のエネルギーの伝達が実質的に行なわれなくなるように構成される。
【０００６】
別の有利な実施形態では、スイッチは、複数のトランスと、そして任意の数の配線を含む経路と、を備える。前記複数のトランスの各トランスは、コアと、そして制御巻線と、を備える。前記経路は、前記複数のトランスを互いに接続するように構成される。非直流電流が前記経路を流れる。直流電流を前記複数のトランスの構成部分の各トランスの前記制御巻線に送り込んで、前記複数のトランスの前記構成部分の前記各トランスの前記コアを飽和させることにより、前記複数のトランスの前記構成部分の前記各トランスの前記コアと前記経路との間のエネルギーの伝達が実質的に行なわれなくなる。
【０００７】
更に別の有利な実施形態では、回路内の電力経路を制御する方法が提供される。コントローラは、複数のトランスの構成部分を選択する。前記複数のトランスは互いに接続される。前記複数のトランスの中の各トランスはコアを備える。直流電流を複数のトランスの前記構成部分に任意の数の電流源から送り込むことにより、前記複数のトランスの前記構成部分の各トランスの前記コアと前記経路との間のエネルギーの伝達が実質的に行なわれなくなる。
【０００８】
特徴、機能、及び利点は、本開示の種々の実施形態において個別に実現することができる、または更に他の実施形態において組み合わせることができ、更なる詳細は、次の説明及び以下の図面を参照することにより理解することができる。
【０００９】
有利な実施形態に固有と考えられる新規の特徴は、添付の請求項に示される。しかしながら、有利な実施形態だけでなく、これらの実施形態の好適な使用形態、更に別の目的、及び利点は、本開示の有利な実施形態に関する以下の詳細な説明を参照し、添付の図面と併せて一読することにより、最も深く理解される。
【図面の簡単な説明】
【００１０】
【図１】有利な実施形態を実現することができる電力環境の図である。
【図２】有利な実施形態に従って描かれる電力環境の一部の図である。
【図３】有利な実施形態に従って描かれる電力環境の一部の図である。
【図４】有利な実施形態に従って描かれるフライホイール駆動手段のスイッチの図である。
【図５】有利な実施形態に従って描かれる回路内の電力経路を制御するプロセスのフローチャートである。
【発明を実施するための形態】
【００１１】
異なる有利な実施形態では、任意の数の異なる注意事項を認識し、そして考慮に入れる。例えば、異なる有利な実施形態では、現在利用可能な接触式スイッチが不所望な電力損失を生じることを認識し、そして考慮に入れる。異なる有利な実施形態では、トランス群がスイッチ内に構成されるようなスイッチを有すると、異なるトランスが飽和するときにスイッチング機構を実現することができることを認識し、そして考慮に入れる。更に、異なる有利な実施形態では、スイッチ群がトランス群を備えることにより、不所望な電力損失を低減し、そしてスイッチ群の複雑さを軽減することができることを認識し、そして考慮に入れる。
【００１２】
従って、異なる有利な実施形態は、回路内の電力経路を制御する方法及び装置を提供する。１つの有利な実施形態では、装置は複数のトランスと、経路と、そして任意の数の電流源と、を備える。複数のトランスの各トランスはコアを備える。当該経路は、複数のトランスを互いに接続するように構成される。非直流電流が当該経路を流れる。任意の数の電流源は、直流電流を複数のトランスの構成部分に送り込んで、複数のトランスの当該構成部分の各トランスのコアと当該経路との間のエネルギー伝達が実質的に行なわれないように構成される。
【００１３】
まず、図１を参照するに、電力環境の図が、有利な実施形態に従って描かれている。この例示的な例では、電力環境１００は、電力１０２が供給される環境の一例である。図示のように、電力環境１００は、複数のトランス１０４と、そして経路１０６と、を含む。複数のトランス１０４及び経路１０６がスイッチ１０５を形成する。
【００１４】
この例示的な例では、トランス１０８は、複数のトランス１０４の中の１つのトランスの一例である。トランス１０８は、コア１１０と、第１巻線１１２と、第２巻線１１４と、そして制御巻線１１６と、を備える。コア１１０はこれらの図示の例では、磁気コア１１３である。磁気コア１１３は磁性材料１１８により構成される。磁性材料１１８は、磁気特性を有する任意の材料とすることができる。磁性材料１１８は、例えばこれらには限定されないが、強磁性金属、鉄、珪素鋼板、カーボニル鉄、圧縮成形鉄粉、フェライト、アモルファス金属、これらの材料の組み合わせ、及び／又は他の適切な種類の材料の形態を採ることができる。複数のトランスの中の全てのトランスの全てのコアが磁気コアである場合、複数のトランスは非接触式磁気スイッチである。
【００１５】
これらの図示の例では、第１巻線１１２、第２巻線１１４、及び制御巻線１１６は、「ｃｏｉｌｓ（コイル群）」と表記することができる。第１巻線１１２、第２巻線１１４、及び制御巻線１１６を、各コイルが選択された巻数を有するようにコア１１０の周りに巻回する。第１巻線１１２、第２巻線１１４、及び制御巻線１１６は、導電材料により構成される。
【００１６】
図示のように、第１巻線１１２はこれらの例示的な例では、負荷１２２及び電源１２４のうちの一方に接続することができる。本明細書において使用されるように、第１巻線１１２のような第１部品が、負荷１２２のような第２部品に接続される場合、第１部品は第２部品に、部品群を全く追加することなく接続することができる。第１部品は第２部品に、１つ以上の他の部品を挟んで接続してもよい。
【００１７】
例えば、１つの電子装置は第２電子装置に、電子装置群を第１電子装置と第２電子装置との間に全く追加することなく接続することができる。幾つかの場合では、別の電子装置を、互いに接続される２つの電子装置の間に設けてもよい。幾つかの例示的な例では、第１巻線１１２は負荷１２２に接続することができる。
【００１８】
これらの例示的な例では、負荷１２２は、電力１０２を消費するように構成される任意の電子回路とすることができる。当該回路は、電子装置の一部とすることができる。電子装置は、例えばこれらには限定されないが、照明器具、電子レンジ、トースター、テレビセット、電気掃除機のような住宅内の家電製品とすることができる。負荷１２２は、これらの電子装置の組み合わせとすることができる。
【００１９】
電源１２４は、電力１０２を生成するように構成される任意の電源とすることができる。具体的には、電源１２４は、非直流電流１２６を生成するように構成される任意の電源とすることができる。これらの例示的な例では、非直流電流１２６は、交流電流１２８の形態を採ることができる。これらの図示の例では、電源１２４は、例えばこれらには限定されないが、化学電池、電力供給源、機械式発電機、及び／又は非直流電流１２６の形態の連続電気エネルギーの他の任意の供給源のような任意の電気供給源とすることができる。
【００２０】
これらの例示的な例では、トランス１０８の第２巻線１１４は経路１０６に接続される。更に、複数のトランス１０４の中の各トランスの各第２巻線は経路１０６に接続される。このように、経路１０６は、複数のトランス１０４の全てを互いに接続する。
【００２１】
図示のように、経路１０６は、任意の数の配線１０９により構成される。任意の数の配線１０９はこれらの例では、導電材料により構成される。図示のように、非直流電流１２６が、経路１０６に対応する任意の数の配線１０８を流れる。
【００２２】
トランス１０８は、エネルギーが、電源１２４のような電源からトランス１０８を通って、負荷１２２のような負荷に伝達されるように構成される。これらの例示的な例では、経路１０６は、トランス１０８の負荷または電源のいずれかとなり得る。例えば、第１巻線１１２が負荷１２２に接続される場合、経路１０６は電源として作用する。第１巻線１１２が電源１２４に接続される場合、経路１０６は負荷として作用する。
【００２３】
このように、トランス１０８は、非直流電流１２６から生じるエネルギーが第１巻線１１２と第２巻線１１４との間で伝達されるように構成される。例えば、エネルギーは、第１巻線１１２からコア１１０を介して第２巻線１１４に伝達することができる。同様に、エネルギーは、第２巻線１１４からコア１１０を介して第１巻線１１２に伝達することができる。図示のように、トランス１０８の制御巻線１１６は任意の数の電流源１３０に接続される。
【００２４】
任意の数の電流源１３０は、直流電流１３２を生成するように構成される。更に、任意の数の電流源１３０は、直流電流１３２を制御巻線１１６に送り込むように構成される。直流電流１３２を制御巻線１１６に流すことによって、コア１１０を飽和させて、コア１１０を介したエネルギー１３４の伝達量を減少させる。
【００２５】
コア１１０は、印加外部磁場Ｈの増加によって材料の磁化を更に増大させることができないときに飽和するので、合計磁場Ｂが安定になる。飽和は、コア１１０を通過する磁束が最大値に達すると生じる。具体的には、直流電流１３２を流してコア１１０を飽和させて、第１巻線１１２と第２巻線１１４との間のコア１１０を介したエネルギー１３４の伝達が実質的に行なわれないようにする。
【００２６】
このように、直流電流１３２が制御巻線１１６に送り込まれると、第１巻線１１２と第２巻線１１４との間のエネルギー１３４の伝達量は略ゼロにまで減少する。コア１１０を飽和させるために必要な直流電流１３２の量は、経路１０６を流れる非直流電流１２６の量に比べると、少なくすることができる。
【００２７】
これらの例示的な例では、トランス１０８は、複数のトランス１０４の中の他のトランス群に接続される。例えば、トランス１０８はこの例示的な例では、トランス１３６及びトランス１３８に接続される。トランス１３６及びトランス１３８は、トランス１０８と同様の態様で構成される。
【００２８】
例えば、トランス１３６は、コア１４０と、第１巻線１４２と、第２巻線１４４と、そして制御巻線１４６と、を有する。トランス１３８は、コア１４８と、第１巻線１５０と、第２巻線１５２と、そして制御巻線１５４と、を有する。
【００２９】
１つの例示的な例として、トランス１０８の第１巻線１１２は負荷１２２に接続される。トランス１３６の第１巻線１４２は負荷１５６に接続される。トランス１３８の第１巻線１５０は電源１５８に接続される。トランス１３６の第２巻線１４４、及びトランス１３８の第２巻線１５２は経路１０６に接続される。トランス１３６の制御巻線１４６、及びトランス１３８の制御巻線１５４は任意の数の電流源１３０に接続される。
【００３０】
このように、第２巻線１１４、第２巻線１４４、及び第２巻線１５２を通過する経路１０６が１つの回路を形成し、この回路を、この例では、交流電流１２８が流れる。別の表現をすると、電源１５８により生成される電力１０２はこの例示的な例では、負荷１２２及び負荷１５６に経路１０６を利用して送り込まれる。
【００３１】
更に、この例示的な例では、電源１５８から負荷１２２及び負荷１５６に至る電力１０２の経路は、コントローラ１６０を利用して制御することができる。コントローラ１６０はこれらの例示的な例では、任意の数のコンピュータを備える、またはプロセッサユニットを備えるコンピュータシステムとすることができる。コントローラ１６０は、制御巻線１１６、制御巻線１４６、及び制御巻線１５４のうちの何れの制御巻線に直流電流１３２を送り込むかについて制御するように構成される。
【００３２】
例えば、コントローラ１６０は、命令を任意の数の電流源１３０に送信して、直流電流１３２を制御巻線１１６に送り込むことができる。直流電流１３２が制御巻線１１６に流れ込むと、トランス１０８のコア１１０が飽和する。その結果、コア１１０と経路１０６との間のエネルギー１３４の伝達が実質的に行なわれなくなる。別の表現をすると、交流電流１２８が経路１０６を流れると、第２巻線１１４から第１巻線１１２へのエネルギーの伝達が実質的に行なわれなくなる。このように、電力１０２は電源１５８から負荷１５６に、負荷１２２に届くことなく供給される。
【００３３】
同様に、コントローラ１６０は命令を任意の数の電流源１３０に送信して、直流電流１３２を制御巻線１４６に送り込むことができる。直流電流１３２が制御巻線１４６を通過すると、トランス１３６のコア１４０が飽和する。このように、トランス１３６を介したエネルギー１３４の伝達は実質的に行なわれなくなる。電力１０２は電源１５８から負荷１２２に、負荷１５６に届くことなく供給される。
【００３４】
このように、複数のトランス１０４及び経路１０６がスイッチ１０５を形成する。スイッチ１０５によって、経路１０６を介した電力１０２の供給を変化させることができる。
【００３５】
他の例示的な例では、複数のトランス１０４は、３つよりも多くのトランスを含むことができる。コントローラ１６０は、直流電流１３２の送り先となる複数のトランス１０４の構成部分１６１を選択するように構成される。この選択は、例えばポリシー１６２を用いて行なうことができる。ポリシー１６２は、複数のトランス１０４の中の何れのトランスに直流電流１３２を送り込む必要があるかを選択する際の任意の数のルール及び／又は基準となり得る。
【００３６】
例えば、ポリシー１６２は、直流電流１３２を、周期的イベントまたは非周期的イベントのようなイベントの生起に応じて制御巻線１１６に送り込む必要があることを規定することができる。一例として、直流電流１３２は、制御巻線１１６に２時間ごとに送り込む必要がある。更に、ポリシー１６２は、直流電流１３２を制御巻線１１６に１時間の間隔を開けて送り込む必要があることを規定することができる。別の表現をすると、スイッチ１０５を用いて、電力１０２を電源１５８から負荷１２２と負荷１５６に１時間ごとに交互に供給する。
【００３７】
更に、他の例示的な例では、経路１０６は複数のトランス１０４及び任意の数の装置１６４を互いに接続することができる。任意の数の装置１６４は、例えばモータ１６６を含むことができる。モータ１６６はこれらの例では、ステータである。
【００３８】
図１の電力環境１００は、異なる有利な実施形態を実現することができる態様に物理的な、または構造上の制約があることを示すために図示しているのではない。図示される構成要素群の他に、そして／または代わりに、他の構成要素群を使用してもよい。幾つかの構成要素は、幾つかの有利な実施形態では不要とすることができる。また、ブロック群を提示して、幾つかの機能的構成要素を示している。これらのブロックのうちの１つ以上のブロックは、異なる有利な実施形態において実施される場合に、組み合わせることができる、そして／または異なるブロックに分割することができる。
【００３９】
例えば、幾つかの例示的な実施形態では、複数のトランス１０４は、図示のトランス群の他に、他のトランス群を含むことができる。更に、モータ１６６の他の装置群を経路１０６に接続してもよい。他の例示的な例では、複数のトランス１０４は、経路１０６に接続される複数のトランス集合体を含むことができる。１つの例示的な例として、各トランス集合体は、３相で動作するように構成される３つのトランスを含むことができる。直流電流１３２を利用して、３つのトランス集合体に対応するこれらの相を切り替えることができる。更に、異なる例示的な実施形態では、コントローラ１６０は、ハードウェア及び／又はソフトウェアの或る組み合わせを用いて実現される他の或る形態を採ることができる。
【００４０】
次に、図２を参照するに、電力環境の一部の図が、有利な実施形態に従って描かれている。電力環境２００は、図１の電力環境１００の１つの実施形態の一例である。図示のように、電力環境２００はスイッチ２０１を含む。スイッチ２０１は複数のトランス２０２と、そして経路２０３と、を含む。
【００４１】
図示のように、複数のトランス２０２は、トランス２０４と、トランス２０６と、そしてトランス２０８と、を含む。トランス２０４は、コア２１４と、第１巻線２１６と、第２巻線２１８と、そして制御巻線２２０と、を含む。トランス２０６は、コア２２２と、第１巻線２２４と、第２巻線２２６と、そして制御巻線２２８と、を含む。トランス２０８は、コア２３０と、第１巻線２３２と、第２巻線２３４と、そして制御巻線２３６と、を含む。
【００４２】
この例示的な例では、経路２１２は、トランス２０４、トランス２０６、及びトランス２０８を互いに任意の数の配線２１３を用いて接続する。具体的には、任意の数の配線２１３は、これらのトランスを第２巻線２１８、第２巻線２２６、及び第２巻線２３４を介して接続する。
【００４３】
図示のように、例えばこれに限定されないが、図１の任意の数の電流源１３０のような任意の数の電流源は、直流電流を複数のトランス２０２の構成部分に送り込むように構成することができる。具体的には、直流電流２３８は、トランス２０４の制御巻線２２０に送り込むことができる。直流電流２４０は、トランス２０６の制御巻線２２８に送り込むことができる。直流電流２４２は、トランス２０８の制御巻線２３６に送り込むことができる。
【００４４】
直流電流がトランスの制御巻線に送り込まれると、当該トランスのコアが飽和して、経路２０３とコアとの間のエネルギーの伝達が実質的に行なわれなくなる。図１のコントローラ１６０のようなコントローラは、電力の送信先となる複数のトランス２０２の構成部分を選択することができる。例えば、トランス２０４の第１巻線２１６は電源に接続される。トランス２０６の第１巻線２２４は負荷に接続される。トランス２０８の第１巻線２３２は負荷に接続される。
【００４５】
トランス２０４の第１巻線２１６に接続される電源はこの例示的な例では、経路２０３に送り込まれる交流電流を生成する。この交流電流は、経路２０３を流れ、そして経路２０３からトランス２０６及びトランス２０８を通って流出することができる。別の表現をすると、トランス２０４に接続される電源により生成される電力は、トランス２０６の第１巻線２２４、及びトランス２０８の第１巻線２３２に経路２０３を介して接続されるこれらの負荷に供給される。
【００４６】
この例示的な例では、直流電流２４０は、制御巻線２２８に送り込むことによりコア２２２を飽和させることができる。その結果、電力は、トランス２０８に接続される負荷に、トランス２０６に接続される負荷に供給されることなく供給することができる。同様に、直流電流２４２は、制御巻線２３６に送り込むことによりコア２３０を飽和させることができる。その結果、電力は、トランス２０６に接続される負荷に、トランス２０８に接続される負荷に供給されることなく供給することができる。このように、トランス２０６を介した電力の供給、及びトランス２０８を介した電力の供給は、交互に行なうことができる。
【００４７】
勿論、他の例示的な実施形態では、スイッチ２０１の他の構成を設けるようにしてもよい。例えば、幾つかの例示的な例では、トランス２０６及びトランス２０４の両方を複数電源に、トランス２０８を負荷に接続した状態で接続することができる。スイッチ２０１を用いて、負荷への電力の供給を、これらの２つの電源で交互に行なうことができる。
【００４８】
次に、図３を参照するに、電力環境の一部の図が、有利な実施形態に従って描かれている。この例示的な例では、電力環境３００は、図１の電力環境１００の１つの実施形態の一例である。図示のように、電力環境３００はスイッチ３０１を含む。
【００４９】
この例示的な例では、スイッチ３０１は、経路３０２と、経路３０４と、そして経路３０６と、を含む。更に、スイッチ３０１は、トランス集合体３０３と、トランス集合体３０５と、そしてトランス集合体３０７と、を含む。各トランス集合体は、３つの動作相を有するように構成される。別の表現をすると、各トランス集合体は３相トランスを形成する。各経路は、各トランス集合体の各トランスの特定の相のトランスを、他のトランス集合体群の中の対応するトランス群に接続する。
【００５０】
例えば、経路３０２は、トランス３０８，３１０，及び３１２を接続する。経路３０４は、トランス３１４，３１６，及び３１８を接続する。経路３０６は、トランス３２０，３２２，及び３２４を接続する。これらのトランスの各トランスは、第１巻線と、第２巻線と、制御巻線と、そしてコアと、を有する。
【００５１】
直流電流３２６は、トランス集合体３０３に送り込むことができる。直流電流３２８は、トランス集合体３０５に送り込むことができる。直流電流３３０は、トランス集合体３０７に送り込むことができる。図１のコントローラ１６０のようなコントローラは、何れのトランス集合体に直流電流を流し込むかを制御するように構成することができる。
【００５２】
次に、図４を参照するに、フライホイール駆動手段（ｆｌｙｗｈｅｅｌ  ｄｒｉｖｅ）のスイッチの図が、有利な実施形態に従って描かれている。この例示的な例では、スイッチ４００は、図１のスイッチ１０５の１つの実施形態の一例である。
【００５３】
図示のように、スイッチ１０５は、トランス４０２と、トランス４０４と、そしてフライホイール駆動手段４０６と、を含む。フライホイール駆動手段４０６は、図１のモータ１６６の１つの実施形態の一例である。トランス４０２及びトランス４０４はそれぞれ、３相トランス４０３及び３相トランス４０５である。
【００５４】
この例示的な例では、トランス４０２に接続される電源により生成される電力は、トランス４０２を介してフライホイール駆動手段４０６に伝達される。この電力を用いてフライホイール駆動手段４０６を回転させる。エネルギーがフライホイール駆動手段４０６にトランス４０２を介して伝達される場合、直流電流４０８がトランス４０４に送り込まれて、トランス４０４を介したエネルギーの伝達が実質的に行なわれなくなる。このように、フライホイール駆動手段４０６にトランス４０２を介して伝達されるエネルギーの全てが、フライホイール駆動手段４０６に貯蔵される。
【００５５】
トランス４０４に送り込む直流電流４０８を取り除き、そして直流電流４１０をトランス４０２に送り込むと、フライホイール駆動手段４０６に貯蔵されているエネルギーが、トランス４０４に接続される負荷に伝達される。このように、エネルギーの伝達が、フライホイール駆動手段４０６とトランス４０４との間で行なわれる。
【００５６】
次に、図５を参照するに、回路内の電力経路を制御するプロセスのフローチャートの図が、有利な実施形態に従って描かれている。図５に示すプロセスは、図１の電力環境１００において実施することができる。このプロセスは、例えば図１のスイッチ１０５を用いて実施することができる。
【００５７】
当該プロセスは、コントローラが複数のトランスの構成部分を選択する（操作５００）ことから始まる。複数のトランスは、回路内で互いに接続される。当該回路は、複数のトランスを接続する任意の数の配線により形成される。具体的には、任意の数の配線は、複数のトランスの各トランスの巻線群に接続される。複数のトランスの中の各トランスはコアを有する。
【００５８】
その後、任意の数の電流源が直流電流を、複数のトランスのうちの選択された構成部分に送り込むことにより、複数のトランスの当該構成部分の各トランスのコアと当該経路との間のエネルギーの伝達が実質的に行なわれなくなり（操作５０２）、当該プロセスはその後、終了する。
【００５９】
異なる図示の実施形態におけるフローチャート及びブロック図は、異なる例示的な実施形態における装置及び方法の数通りの実施形態の構造、機能、及び動作を示している。この点に関して、フローチャートまたはブロック図における各ブロックは、モジュール、セグメント、機能を表わすことができ、そして／または操作またはステップの一部を表わすことができる。幾つかの別の実施形態では、ブロックに記述される機能または機能群は、これらの図に記述される順番とは異なる順番で実行することができる。例えば、幾つかの場合では、連続して示される２つのブロックは、略同時に実行することができる、またはこれらのブロックを、搭載される機能によって異なるが、逆の順番で実行することができる場合がある。また、フローチャートまたはブロック図における図示のブロック群の他に、他のブロック群を追加することができる。
【００６０】
従って、異なる有利な実施形態は、回路内の電力経路を制御する方法及び装置を提供する。１つの有利な実施形態では、装置は、複数のトランスと、経路と、そして任意の数の電流源と、を備える。複数のトランスの各トランスはコアを備える。当該経路は、複数のトランスを互いに接続するように構成される。非直流電流が当該経路を流れる。任意の数の電流源は、直流電流を複数のトランスの構成部分に送り込むことにより、複数のトランスの当該構成部分の各トランスのコアと当該経路との間のエネルギーの伝達が実質的に行なわれなくなるように構成される。
【００６１】
異なる有利な実施形態の説明を提示して、例示及び記述を行なってきたが、当該説明を網羅的に記載しようとするものではない、または開示される構成の実施形態に限定しようとするものではない。多くの変形及び変更が存在することはこの技術分野の当業者には明らかである。更に、異なる有利な実施形態は、他の有利な実施形態とは異なる利点を提供することができる。選択される実施形態または実施形態群は、これらの実施形態の原理、実際の用途を最も分かり易く説明するために、そしてこの技術分野の他の当業者が、想定される特定の使用に適合するように種々の変更が為される種々の実施形態に関する開示を理解することができるように選択され、そして記載されている。
【図１】
0005600212.tif 000002
【図２】
0005600212.tif 000003
【図３】
0005600212.tif 000004
【図４】
0005600212.tif 000005
【図５】
0005600212.tif 000006